(57)【要約】【課題】    縦樋等の管材が庇その他の屋根又は床等を貫通する構造において、上面に設けられた防水層の裏側における防水性の向上を図ることができる防水構造を提供する。【解決手段】  庇(１)等の上面に敷設された防水板(５)に、管材(３)が貫通する開口部(７)を設け、その開口部(７)からの水が防水板(５)の裏側へ侵入するのを防止する水切り部(６)を、前記開口部(７)周縁に沿って下向きに突出して設ける。【選択図】  図２
2005214247.tif 000002
【特許請求の範囲】
【請求項１】
上面に防水板が敷設された屋外の屋根又は床等を縦樋その他の管材が貫通する構造において、その管材が貫通する開口部が前記防水板に設けられ、その開口部からの水が防水板の裏側へ侵入するのを防止する水切り部が、前記開口部周縁に沿って下向きに突出して設けられていることを特徴とする縦樋等の貫通部における防水構造。
【請求項２】
前記防水板は、前記水切り部を一体に備えている請求項１記載の縦樋等の貫通部における防水構造。
【請求項３】
防水板の前記開口部を塞ぐようにして、シーリング材を防水板と縦樋外周面とに跨って付着してなる請求項１又は２記載の縦樋等の貫通部における防水構造。
【請求項４】
前記防水板は、屋根又は床等の傾斜面又は水平面を構成する横材の上面に敷設されており、前記管材外周面とその管材が貫通する横材の開口部内周面との間の間隙に、その間隙を仕切るようにして筒状の仕切り部が設けられている請求項１乃至３のいずれかに記載の縦樋等の貫通部における防水構造。
【請求項５】
上面に防水層が設けられた屋外の屋根又は床等を縦樋その他の管材が貫通する構造において、前記防水層上面より立ち上がる立上がり部が、前記管材外周面に対して間隙を空けて取り囲むようにして設けられ、その間隙にシーリング材が充填されてなることを特徴とする縦樋等の貫通部における防水構造。
【請求項６】
前記立上がり部は、円環状その他の環状に形成されている請求項５記載の縦樋等の貫通部における防水構造。
【請求項７】
前記間隙の底部にシーリング材充填用のバックアップ材を取り付け、そのバックアップ材の上側にシーリング材を充填してなる請求項５又は６記載の縦樋等の貫通部における防水構造。
【請求項８】
前記立上がり部に対して、その立上がり部下端より外側に向かって張り出すフランジ部が連結されるか又は一体に設けられ、そのフランジ部下面が前記防水層上面に取り付けられてなる請求項５乃至７のいずれかに記載の縦樋等の貫通部における防水構造。
【請求項９】
前記立上がり部外周面と前記フランジ部上面とに跨るようにしてシーリング材が付着されてなる請求項８記載の縦樋等の貫通部における防水構造。
【発明の詳細な説明】
【技術分野】
【０００１】
この発明は、縦樋等の管材が貫通する庇その他の屋根又は床等において、その貫通部の防水性を高めるための防水構造に関する。
【背景技術】
【０００２】
集合住宅等の建物において、屋上やバルコニーからの排水が流される縦樋を、外廊下の外壁等から張り出す庇を貫通させて設置することがある。そのような縦樋その他の管材の貫通部には、その下側に水が侵入しないように何らかの防水処理を施す必要がある。
【０００３】
庇(１)における縦樋(３)の貫通部の防水構造としては、例えば図７に示すようなものがある。この構造においては、合板からなる庇(１)の天板(８)と、その天板(８)上面に敷設された防水板(５)とに、それぞれ縦樋(３)が貫通する開口部(７)(９)が設けられている。そして、それら開口部(７)(９)から庇(１)の内部に水が侵入しないように、縦樋(３)外周面と防水板(５)上面とに跨ってシーリング材(20)を付着させることで、防水処理が施されている。
【０００４】
なお、特許文献１には、建物の床において管材が貫通する開口部において、その管材に円筒状のパッキンを外嵌させて開口部の隙間を埋めることで、床における管材の貫通部において、その下側に水漏れするのを防止する構成が開示されている。
【０００５】
【特許文献１】特開平１０−１８５００９号公報
【発明の開示】
【発明が解決しようとする課題】
【０００６】
しかし、図７に示す従来の防水構造では、シーリング材(20)の断面形状が三角形状になっているため切れ目が入りやすく、その切れ目から侵入した水が、防水板(５)の開口部(７)より防水板(５)裏面を伝って防水板(５)と天板(８)との間に入り込んでしまう恐れがあった。このような浸水が起こると、天板(８)が腐食して強度低下を起こす恐れがあるため、シーリング材(20)に切れ目が入りにくいようにシーリング施工を改善するか、又は、防水板(５)の開口部に万が一水が侵入した場合でも、その水が防水板(５)の裏側に入り込まないようにする必要があった。
【０００７】
すなわち、庇その他の屋根又は床等における強度低下を防止するために、その上面に設けられた防水層の裏側に水が侵入するのを防止できるような防水処理の開発が望まれていた。なお、特許文献１には、そのような目的で防水層の裏側への浸水を防止する構成については開示されていない。
【０００８】
そこで、この発明は、上記の不具合を解消して、縦樋等の管材が庇その他の屋根又は床等を貫通する構造において、上面に設けられた防水層の裏側における防水性の向上を図ることができる防水構造を提供することを目的とする。
【課題を解決するための手段】
【０００９】
上記の課題を解決するため、この発明は、上面に防水板が敷設された屋外の屋根又は床等を縦樋その他の管材が貫通する構造において、その管材が貫通する開口部が前記防水板に設けられ、その開口部からの水が防水板の裏側へ侵入するのを防止する水切り部が、前記開口部周縁に沿って下向きに突出して設けられていることを特徴とする。
【００１０】
また、前記防水板は、前記水切り部を一体に備えている。さらに、防水板の前記開口部を塞ぐようにして、シーリング材を防水板と縦樋外周面とに跨って付着してなる。
【００１１】
またさらに、前記防水板は、屋根又は床等の傾斜面又は水平面を構成する横材の上面に敷設されており、前記管材外周面とその管材が貫通する横材の開口部内周面との間の間隙に、その間隙を仕切るようにして筒状の仕切り部が設けられている。
【００１２】
場合によって、この発明は、上面に防水層が設けられた屋外の屋根又は床等を縦樋その他の管材が貫通する構造において、前記防水層上面より立ち上がる立上がり部が、前記管材外周面に対して間隙を空けて取り囲むようにして設けられ、その間隙にシーリング材が充填されてなることを特徴とする。
【００１３】
また、前記立上がり部は、円環状その他の環状に形成されている。
【００１４】
さらに、前記間隙の底部にシーリング材充填用のバックアップ材を取り付け、そのバックアップ材の上側にシーリング材を充填してなる。
【００１５】
またさらに、前記立上がり部に対して、その立上がり部下端より外側に向かって張り出すフランジ部が連結されるか又は一体に設けられ、そのフランジ部下面が前記防水層上面に取り付けられてなる。
【００１６】
加えて、前記立上がり部外周面と前記フランジ部上面とに跨るようにしてシーリング材が付着されてなる。
【発明の効果】
【００１７】
この発明によれば、縦樋等の管材が貫通する防水板の開口部周縁に沿って、その開口部からの水が防水板の裏側へ侵入するのを防止する水切り部が設けられているため、防水板の開口部に万が一水が侵入した場合でも、その水は水切り部を伝って下方に落とし込まれることとなる。すなわち、防水板の開口部に侵入した水が防水板の裏面を伝っていく恐れがないため、防水板の下側の部材が耐水性に乏しい合板等からなっている場合であっても、その合板等の部材が浸水により強度低下を起こす危険を回避することができる。また、その水切り部は、防水板が一体に備えるものであるため、施工現場において水切り部を形成する作業を省略して、現場施工の簡略化を図ることができる。
【００１８】
さらに、防水板の開口部を塞ぐようにして、シーリング材を防水板と縦樋外周面とに跨って付着しているため、防水板の開口部へ水が侵入することを極力回避することができる。
【００１９】
またさらに、上面に防水板が敷設された横材の開口部内周面と管材外周面との間の間隙に、その間隙を仕切る仕切り部が設けられているため、防水板の開口部から水が侵入したとしても、その水は仕切り部によって遮られることとなる。すなわち、これによって、横材の開口部内周面に水が付着することを防ぐことができ、浸水による横材の強度低下を防ぐことができる。
【００２０】
一方、防水層上面より立ち上がる立上がり部を、縦樋等の管材外周面に対して間隙を空けて取り囲むようにして設けた場合は、その間隙にシーリング材を充填することで所要のシーリング深さが確保されて、シーリング材に切れ目が発生しにくくなるため、そのシーリング部における防水性を高めることができる。すなわち、これにより、防水層の裏側に水が侵入する恐れを解消することができ、防水層の裏側に設けられた合板等の部材が浸水することがないため、その部材の浸水による強度低下を回避することができる。
【００２１】
また、前記の間隙の底部にシーリング材充填用のバックアップ材を取り付けて、そのバックアップ材の上側にシーリング材を充填することにより、充填時においてシーリング材が不要な部分にまで流れ込むことを防ぐことができ、確実で効率的なシーリング施工を行うことができる。
【００２２】
さらに、立上がり部下端より外側に向かって張り出すフランジ部が設けられており、そのフランジ部下面を防水層上面に取り付けているため、立上がり部の取付け状態を安定させることができる。
【００２３】
加えて、これら立上がり部外周面とフランジ部上面とに跨るようにしてシーリング材が付着されているため、立上がり部とフランジ部との接合部分からの浸水を防止することができる。
【発明を実施するための最良の形態】
【００２４】
以下、この発明の実施形態を図面に基づいて詳細に説明する。先ず、図１乃至図３に基づいて、この発明の第１の実施形態について説明する。図１は、例えば集合住宅の外壁(２)に、その外壁面より外側に張り出して設けられた庇(１)を示している。この庇(１)は、外廊下等に対応するようにして、外壁(２)の壁面方向に沿って連続して設けられている。
【００２５】
庇(１)には、屋上若しくはバルコニー等からの排水が通される縦樋(３)が、上下方向に貫通して設けられている。庇(１)の上面は、軒先側に向かって緩やかな下り傾斜となっている。ただし、庇(１)の上面は、水平面となっていても良いものとする。
【００２６】
なお、庇(１)の軒先には軒樋(４)が設けられており、この軒樋(４)に庇(１)上の雨水が流し込まれるようになっている。また、軒樋(４)は、上記の縦樋(３)に対して図示しない配管を介して接続されている。
【００２７】
図２において、(８)は、庇(１)の傾斜面を構成する横材としての天板を示している。天板(８)は、例えば合板からなっており、縦樋(３)が貫通する開口部(９)を備えている。なお、庇(１)の上面が水平面となっている場合は、その水平面は天板(８)により構成されるものとする。
【００２８】
天板(８)の上面には、例えば金属製の防水板(５)が敷設されている。この防水板(５)としては、例えばガルバニウム鋼板が好適に用いられる。防水板(５)には、縦樋(３)が貫通する開口部(７)が設けられている。この防水板(５)の開口部(７)は、天板(８)の開口部(９)周縁が露出しないように、天板(８)の開口部(９)よりも小径に形成されている。
【００２９】
そして、防水板(５)は、その開口部(７)からの水が防水板(５)の裏側へ侵入するのを防止する水切り部(６)を一体に備えている。水切り部(６)は、防水板(５)の開口部(７)周縁に沿って下向きに突出して設けられている。また、水切り部(６)は、開口部(７)の全周に亘って例えば円環状に形成されている。
【００３０】
これによって、防水板(５)の開口部(７)に水が侵入したとしても、その水は水切り部(６)を伝って下方に落とし込まれるため、防水板(５)の裏側へ水が回り込まないようになっている。従って、防水板(５)の開口部(７)に侵入した水が、防水板(５)の裏面を伝って天板(８)上面に付着することがないため、天板(８)が浸水することを防ぐことができるようになっている。なお、水切り部(６)は、防水板(５)とは別体に設けても良く、防水板(５)の開口部(７)周縁部に溶接若しくは接着等により取り付けるようにしても良い。
【００３１】
防水板(５)の開口部(７)周縁部の下側には、縦樋(３)を上下方向に案内する縦樋ガイド材(11)が設けられている。縦樋ガイド材(11)は、縦樋(３)が貫通する例えば円筒状の仕切り部(12)と、その仕切り部(12)上端より外側に向かって張り出すフランジ部(13)とからなっている。
【００３２】
仕切り部(12)は、縦樋(３)外周面と天板(８)の開口部(９)内周面との間の間隙(10)において、その間隙(10)を仕切るようにして設けられている。また、仕切り部(12)の内径は、防水板(５)の開口部(７)の内径よりも大きくなるように形成されている。縦樋(３)外周面と仕切り部(12)の内周面との間の間隙(14)には、全周に亘って緩衝材(15)が介装されている。緩衝材(15)としては、エチレンプロピレンゴムその他の合成ゴムが好適に用いられる。
【００３３】
フランジ部(13)は、図３に示すように、例えば矩形のプレート状に形成されており、その中央に例えば円形の開口部(16)が設けられている。フランジ部(13)は、設置状態において、天板(８)上面の開口部(９)周縁部と、防水板(５)下面の開口部(７)周縁部との間に介装されている。フランジ部(13)下面は、天板(８)上面に例えば接着により取り付けられており、フランジ部(13)上面は、防水板(５)下面に例えば接着により取り付けられている。
【００３４】
これら仕切り部(12)及びフランジ部(13)は、例えば金属からなっている。そして、仕切り部(12)外周面の上端部とフランジ部(13)下面の開口部(16)周縁部とに跨って、スポット溶接した後に全周に亘ってシーリング材(17)を付着させることで、仕切り部(12)とフランジ部(13)とが連結されて縦樋ガイド材(11)が形成される。ただし、縦樋ガイド材(11)は、一体成形するようにしても良いものとする。
【００３５】
施工の際は、設置された天板(８)の開口部(９)に、縦樋ガイド材(11)の仕切り部(12)を上側から嵌め込んで、その縦樋ガイド材(11)のフランジ部(13)下面を天板(８)上面に接着する。続いて、そのようにして縦樋ガイド材(11)を取り付けた状態において、天板(８)の上面に防水板(５)を敷設する。このとき、防水板(５)の水切り部(６)の下端部が、縦樋ガイド材(11)の仕切り部(12)の内側に収まるようにする。
【００３６】
そして、縦樋ガイド材(11)の仕切り部(12)に縦樋(３)を貫通させた状態において、仕切り部(12)の内側の間隙(14)における緩衝材(15)の上側にシーリング材(20)を充填するとともに、防水板(５)の上面と縦樋(３)外周面とに跨ってシーリング材(20)を付着する。これにより、防水板(５)の開口部(７)は、完全に塞がれた状態となる。
【００３７】
このように防水板(５)の開口部(７)を塞ぐようにして、シーリング材(20)を防水板(５)と縦樋(３)外周面とに跨って付着しているため、その開口部(７)からの水の侵入を極力回避することができる。また、シーリング材(20)に切れ目が入ることなどによって、防水板(５)の開口部(７)から万が一水が侵入した場合であっても、その水は上記の水切り部(６)の作用によって防水板(５)の裏側に入り込まないようになっている。
【００３８】
次に、図４乃至図６に基づいて、この発明の第２の実施形態について説明する。この実施形態では、上記の水切り部(６)を設けた構成に代えて、シーリングガイド材(30)を用いた構成となっており、シーリング施工の改善を図っている。
【００３９】
シーリングガイド材(30)は、図４及び図５に示すように、防水層としての防水板(５)上面より立ち上がる例えば円環状の立上がり部(31)と、その立上がり部(31)下端より外側に向かって張り出すフランジ部(32)とからなっている。
【００４０】
立上がり部(31)は、図５に示すように、縦樋(３)外周面に対して間隙(40)を空けて取り囲むようにして設けられている。なお、立上がり部(31)は、環状に形成されていれば良いものとし、その横断面の形状は必ずしも円形に限られず、楕円形又は多角形その他の形状であっても良いものとする。
【００４１】
フランジ部(32)は、図４に示すように、例えば円形のプレート状に形成されており、その中央において立上がり部(31)下端の外形に対応した開口部(36)を備えている。また、フランジ部(32)は、図５に示す設置状態において、防水板(５)の開口部(７)を囲むようにして、防水板(５)上面に例えば接着により取り付けられている。
【００４２】
これら立上がり部(31)及びフランジ部(32)は例えば金属からなっており、特にアルミニウムが好適に用いられる。そして、立上がり部(31)外周面の下端部とフランジ部(32)上面の開口部(36)周縁部とに跨って、スポット溶接した後に全周に亘ってシーリング材(33)を付着させることで、立上がり部(31)とフランジ部(32)とが連結されてシーリングガイド材(30)が形成される。ただし、シーリングガイド材(30)は、一体成形するようにしても良いものとする。
【００４３】
施工の際は、先ず、第１の実施形態と同様に、天板(８)に縦樋ガイド材(11)を取り付けた後に、天板(８)上に防水板(５)を敷設する。この状態において、防水板(５)の上面に、上記のようにシーリングガイド材(30)を取り付ける。このとき、図５に示すように、立上がり部(31)下端部の内周面と防水板(５)上面とに跨って、全周に亘ってシーリング材(37)を付着させる。これにより、防水板(５)上面とフランジ部(32)下面との間からの水の侵入を防止することができる。
【００４４】
続いて、図６に示すように、縦樋(３)外周面と立上がり部(31)内周面との間の間隙(40)の底部に、シーリング材充填用のバックアップ材(34)を取り付け、そのバックアップ材(34)の上側にシーリング材(35)を充填する。なお、バックアップ材(34)としては、樹脂発泡体その他の軟質性樹脂が好適に用いられる。
【００４５】
このようにしてシーリングガイド材(30)を用いることで、所要のシーリング深さとなるようにシーリング材(35)を充填できるような間隙(40)が形成されるため、シーリング材(35)に切れ目が発生しにくく防水性に優れたシーリング施工が可能となる。これにより、防水板(５)の開口部(７)から水が侵入する恐れを解消することができ、浸水による天板(８)の強度低下を回避することができるようになっている。
【００４６】
なお、第２の実施形態においても、第１の実施形態と同様に水切り部(６)を設けるようにしても良い。また、第２の実施形態において、その他の構成及び効果は第１の実施形態と同様であり、図において、第１の実施形態と同様の機能を有する部材については同符号を付してある。
【００４７】
この発明は、上記実施形態に限定されるものではなく、この発明の範囲内で上記実施形態に多くの修正及び変更を加え得ることは勿論である。例えば、上記実施形態においては、縦樋が庇を貫通する構造について説明したが、縦樋以外の給水管等の管材が庇を貫通する構造、又は縦樋その他の管材が庇以外の屋根若しくはバルコニー床その他の床等を貫通する構造に、この発明の防水構造を適用するようにしても良い。
【図面の簡単な説明】
【００４８】
【図１】第１の実施形態に係る縦樋貫通部の防水構造を備えた庇を示す斜視図である。
【図２】同じくその防水構造を示す断面図である。
【図３】同じくその分解斜視図である。
【図４】第２の実施形態におけるシーリングガイド材を示す斜視図である。
【図５】同じくそのシーリングガイド材の取付け状態を示す断面図ある。
【図６】シーリング材を充填した状態を示す断面図である。
【図７】従来の庇における縦樋貫通部の防水構造を示す断面図である。
【符号の説明】
【００４９】
(１)  庇(屋外の屋根)
(３)  縦樋
(５)  防水板
(６)  水切り部
(７)  防水板の開口部
(８)  庇の天板(横材)
(９)  天板の開口部
(10)  縦樋外周面と天板内周面との間の間隙
(12)  仕切り部
(20)  シーリング材
(31)  立上がり部
(32)  フランジ部
(33)  シーリング材
(34)  バックアップ材
(35)  シーリング材
【図１】
2005214247.tif 000003
【図２】
2005214247.tif 000004
【図３】
2005214247.tif 000005
【図４】
2005214247.tif 000006
【図５】
2005214247.tif 000007
【図６】
2005214247.tif 000008
【図７】
2005214247.tif 000009